(57)【特許請求の範囲】
【請求項１】
下端に掘削刃（１）が環状に配置された円筒状のケーシング（２）をその軸周りに回転させて、前記掘削刃（１）によって地盤（Ｇ）に埋設された既設杭（Ｐ）の周囲を掘削し、前記地盤（Ｇ）と前記既設杭（Ｐ）との間の縁が切れた縁切り部（３）を形成した上で前記ケーシング（２）を前記地盤（Ｇ）から一旦引き抜く縁切り工程と、
前記ケーシング（２）の下端部に、前記ケーシング（２）の外周面に沿って上下方向に延びる基部（７ａ）と、巻き付け用ワイヤ（５）を出し入れする開口が形成された、前記基部（７ａ）に連設された受け部（７ｂ）とを有し、前記基部（７ａ）の前記ケーシング（２）に臨む面に磁石（８）が設けられており、前記磁石（８）の磁力によって、磁性材料からなる前記ケーシング（２）に対し着脱自在とした保持部材（７）を取り付けた上で、前記受け部（７ｂ）によって前記巻き付け用ワイヤ（５）を下方から支持するように保持させ、その保持状態において、前記ケーシング（２）の下端に取り付けられた結束部材（１０）で前記巻き付け用ワイヤ（５）を前記ケーシング（２）の下端に周方向に所定間隔で環状に配置された前記掘削刃（１）に沿うように前記ケーシング（２）に仮止めし、この仮止め後に前記保持部材（７）を前記ケーシング（２）から取り外すワイヤ仮止め工程と、
前記ケーシング（２）の下端に前記既設杭（Ｐ）に巻き付ける前記巻き付け用ワイヤ（５）を仮止めした上で、前記ケーシング（２）を前記縁切り部（３）内に再挿入するワイヤ挿入工程と、
前記ケーシング（２）を軸周りに回転させて前記結束部材（１０）を切断することによって、仮止めされた前記巻き付け用ワイヤ（５）を前記ケーシング（２）から脱落させ、前記巻き付け用ワイヤ（５）が前記既設杭（Ｐ）に巻き付けられた状態とするワイヤ巻き付け工程と、
前記巻き付け用ワイヤ（５）が前記ケーシング（２）から脱落したら、引き抜き用ワイヤ（６）に上向きの張力を与えて、前記引き抜き用ワイヤ（６）に連結された前記巻き付け用ワイヤ（５）を引き締め、前記巻き付け用ワイヤ（５）を既設杭（Ｐ）の下端部に巻き付け、前記引き抜き用ワイヤ（６）とともに前記巻き付け用ワイヤ（５）を上向きに引き上げて、前記既設杭（Ｐ）を前記地盤（Ｇ）から引き抜く引き抜き工程と、
を有する杭抜き方法。
【発明の詳細な説明】
【技術分野】
【０００１】
この発明は、地盤中の既設杭を引き抜くための杭抜き方法に関する。
【背景技術】
【０００２】
ビルやマンション等の建物の建設現場においては、地盤中の硬い層まで杭が埋設され、この杭によって建物が安定的に支持される。そして、建物の建て替え時においては、この建物を支持していた既設杭（地盤に埋設された状態の杭）も併せて撤去される。
【０００３】
既設杭を撤去するための一般的な方法として、例えば特許文献１に示す輪投げ工法がある。この輪投げ工法においては、まず、最下端に掘削刃を有する円筒状のケーシング４をその軸周りに回転しながら既設杭Ｐの周囲に埋め込んだ後にこのケーシング４を一旦引き抜き、地盤と既設杭Ｐとの間の縁切りが行われる。次に、ケーシング４の最下端にワイヤ９を掛けて再度地中に埋め込んで、ワイヤ９の先端を既設杭Ｐに引っ掛ける。そして、ワイヤ９の一方端を既設杭Ｐに引っ掛けたままケーシング４を引き抜き、さらに、ワイヤ９の他端を上方に引っ張って既設杭Ｐを引き抜く（特許文献１の段落００３１〜００３７、図３、図４等参照）。
【先行技術文献】
【特許文献】
【０００４】
【特許文献１】特開２０１９−２１０６９５号公報
【発明の概要】
【発明が解決しようとする課題】
【０００５】
上記の特許文献１に係る杭抜き方法によると、ワイヤ９を掛けたケーシング４を再度地中に埋め込む際に、ワイヤ９が緩んでケーシング４の下端から脱落しやすい。このため、既設杭Ｐの所望の位置にワイヤ９を掛けるのは難しく、作業が比較的容易な既設杭Ｐの上端近傍にワイヤ９を引っ掛けることが多い（特許文献１の図４（ｃ）参照）。この場合、中折れ、破損、ジョイント不良等が生じた不健全な既設杭Ｐにおいては、一度の引き抜き作業でこの既設杭Ｐの全体を撤去することができず、その引き抜き作業を複数回に分けて行う必要があり、その作業が煩雑となるとともにコスト高となる問題がある。
【０００６】
そこで、この発明は、地盤中の既設杭を簡便かつ確実に除去することを課題とする。
【課題を解決するための手段】
【０００７】
上記の課題を解決するため、この発明においては、
下端に掘削刃が環状に配置された円筒状のケーシングをその軸周りに回転させて、前記掘削刃によって地盤に埋設された既設杭の周囲を掘削し、前記地盤と前記既設杭との間の縁が切れた縁切り部を形成した上で前記ケーシングを前記地盤から一旦引き抜く縁切り工程と、
前記ケーシングの下端に前記既設杭に巻き付ける巻き付け用ワイヤを仮止めした上で、前記ケーシングを前記縁切り部内に再挿入するワイヤ挿入工程と、
前記ケーシングを軸周りに回転させて仮止めされた前記巻き付け用ワイヤを前記ケーシングから脱落させ、前記巻き付け用ワイヤが前記既設杭に巻き付けられた状態とするワイヤ巻き付け工程と、
前記巻き付け用ワイヤを上向きに引き上げて、前記既設杭を前記地盤から引き抜く引き抜き工程と、
を有する杭抜き方法を構成した。
【０００８】
このようにすると、仮止めされた巻き付け用ワイヤをケーシングの回転によって脱落させることで、既設杭への巻き付け用ワイヤの巻き付け位置を制御することができる。このため、例えば、既設杭が中折れしている場合は、その中折れしている部分よりも下側の既設杭に巻き付け用ワイヤを巻き付けて引き上げることにより、巻き付け位置よりも上側にある中折れしている部分も同時に引き抜くことができる。このため、一度の引き抜き作業によって、地盤中の既設杭を簡便かつ確実に除去することができる。
【０００９】
前記構成においては、
前記ケーシングの下端に取り付けられた結束部材によって、前記巻き付け用ワイヤが仮止めされており、前記ケーシングの軸周りの回転によって前記結束部材が切断されることによって、前記巻き付け用ワイヤが前記ケーシングから脱落する構成とするのが好ましい。
【００１０】
このようにすると、結束部材によって巻き付け用ワイヤを安定的に仮止めすることができるため、ワイヤ挿入工程において所望の深さ（既設杭の所望の長さ方向位置）に到達する前に、この巻き付け用ワイヤが不用意に脱落するのを防止することができる。その一方で、ケーシングを軸周りに回転して結束部材を切断することによって、その所望の深さにおいて巻き付け用ワイヤをスムーズに脱落させることができる。
【００１１】
結束部材によって巻き付け用ワイヤを仮止めする構成においては、
前記ワイヤ挿入工程の前に、前記ケーシングの下端部に着脱自在の保持部材を取り付けた上で、前記保持部材によって前記巻き付け用ワイヤを保持させ、その保持状態において前記結束部材で前記巻き付け用ワイヤの仮止めを行い、この仮止め後に前記保持部材を前記ケーシングから取り外すワイヤ仮止め工程を有する構成とするのが好ましい。
【００１２】
このようにすると、結束部材による仮止めの際に、手で巻き付け用ワイヤを保持しておく必要がないため、その仮止め作業を作業者一人で容易に行うことができ、高い作業効率を確保することができる。
【００１３】
ワイヤ仮止め工程を有する構成においては、
前記保持部材に磁石が設けられており、前記磁石の磁力によって、前記保持部材を磁性材料からなる前記ケーシングに対し着脱自在とした構成とするのが好ましい。
【００１４】
このようにすると、ケーシングへの保持部材の着脱作業をスムーズに行うことができ、作業効率を一層高めることができる。
【００１５】
前記各構成においては、
前記巻き付け用ワイヤが、前記ケーシングの下端に周方向に所定間隔で環状に配置された前記掘削刃に沿うように前記ケーシングに仮止めされている構成とするのが好ましい。
【００１６】
このようにすると、ケーシングの下端の掘削刃によって縁切り部内の土砂（泥水）がスムーズにかき分けられ、挿入に伴う圧力が巻き付け用ワイヤに直接作用しにくい。このため、その挿入の際に、環状に束ねた巻き付け用ワイヤが径方向外側に拡径してばらけた状態となるのを防止して、既設杭の所定位置に巻き付け用ワイヤを確実に巻き付けることができる。
【発明の効果】
【００１７】
この発明は、上記のように、ケーシングに仮止めされた巻き付け用ワイヤを、所定の位置でケーシングから脱落させて既設杭に巻き付けるので、中折れ等が生じた不健全な既設杭についても簡便かつ確実に除去することができる。
【図面の簡単な説明】
【００１８】
【図１】この発明に係る杭抜き方法の工程を示す断面図（一部は部分断面図）であって、（ａ）は既設杭が地盤に埋設された状態、（ｂ）はケーシングで縁切り部を形成した状態、（ｃ）はケーシングを一旦引き抜いた状態、（ｄ）は巻き付け用ワイヤを仮止めしたケーシングを再挿入した状態、（ｅ）は巻き付け用ワイヤをケーシングから脱落させて既設杭に巻き付けた状態、（ｆ）はケーシングを再び引き抜いた状態、（ｇ）は既設杭を引き抜いている状態
【図２】ワイヤ仮止め工程の手順を示す断面図であって、（ａ）はケーシングに保持部材を取り付けて巻き付け用ワイヤを保持した状態、（ｂ）は結束部材によって巻き付け用ワイヤを仮止めした状態、（ｃ）はケーシングから保持部材を取り外した状態
【図３】図２（ｃ）の状態における要部を示す断面図であって、（ａ）は掘削刃の直下に巻き付け用ワイヤを配置した状態、（ｂ）は掘削刃のサイドに巻き付け用ワイヤを配置した状態
【図４】既設杭の根固め部に巻き付け用ワイヤを巻き付けた状態を示す要部の部分断面図
【発明を実施するための形態】
【００１９】
この発明に係る杭抜き方法を図１から図４に基づいて説明する。この杭抜き方法は、図１（ａ）に示すように、地盤Ｇに埋設された状態の不要となった既設杭Ｐを撤去するための方法であって、縁切り工程と、ワイヤ挿入工程と、ワイヤ巻き付け工程と、引き抜き工程と、を主要な構成要素としている。
【００２０】
縁切り工程は、図１（ｂ）（ｃ）に示すように、下端に複数の掘削刃１が環状に配置された円筒状のケーシング２を、このケーシング２の上端側に設けたオーガ（図示せず）によってその軸周りに回転させて（図１（ｂ）中のｒ１）、その掘削刃１によって地盤Ｇに埋設された既設杭Ｐの周囲を掘削して、地盤Ｇと既設杭Ｐとの間の縁が切れた縁切り部３を形成した上でケーシング２を地盤Ｇから一旦引き抜く工程である。
【００２１】
この縁切り工程においては、その掘削部分に、掘削と同時に水あるいは水にベントナイトを混濁させたベントナイト水等の掘削液が注入される。これにより、掘削によって形成された縁切り部３は泥状となり、縁切り工程に続いて行われるワイヤ挿入工程をスムーズに行うことができる。なお、この掘削部分に掘削液を注入せずに、単に掘削刃１で地盤Ｇを揉むことによって縁切り部３を形成する場合もある。
【００２２】
この縁切り工程においては、磁性材料である鋼鉄製のケーシング２が使用される。このケーシング２の下端近傍の外周面には、ケーシング２の径方向外向きに突出する周方向断面が逆Ｌ字形の外側突起４が形成されている。この外側突起４を形成することによって、この外側突起４を形成しない場合と比較して、縁切り工程によって既設杭Ｐの周囲に形成される縁切り部３の径方向幅が拡大するため、ワイヤ挿入工程を一層スムーズに行うことができる。
【００２３】
ワイヤ挿入工程は、図１（ｄ）に示すように、ケーシング２の下端に既設杭Ｐに巻き付ける巻き付け用ワイヤ５を仮止めした上で、このケーシング２を縁切り部３内に再挿入する工程である。このワイヤ挿入工程においては、縁切り工程で使用したケーシング２をそのまま使用することができる。なお、図１（ｄ）（図１（ｅ）も同様）においては、ケーシング２の外周面に形成された外側突起４の図示を省略している。
【００２４】
巻き付け用ワイヤ５には、この巻き付け用ワイヤ５が巻き付けられた既設杭Ｐを地盤Ｇから引き抜くための引き抜き用ワイヤ６が連結されている。この巻き付け用ワイヤ５及び引き抜き用ワイヤ６として、既設杭Ｐの引き抜きにおける十分な強度を有する金属製ワイヤが通常用いられる。なお、引き抜き用ワイヤ６と巻き付け用ワイヤ５を１本の連続したワイヤとすることもできる。
【００２５】
ここで、ワイヤ挿入工程の前に予め行われる、ケーシング２に巻き付け用ワイヤ５を仮止めするためのワイヤ仮止め工程について説明する。このワイヤ仮止め工程においては、まず、図２（ａ）に示すように、ケーシング２の下端部に着脱自在の保持部材７を取り付けた上で、この保持部材７によって巻き付け用ワイヤ５を保持させる。
【００２６】
保持部材７は、ケーシング２の外周面に沿って上下方向に延びる基部７ａと、巻き付け用ワイヤ５を保持するとともに、この巻き付け用ワイヤ５を出し入れする開口が形成された、基部７ａの下端に連設された受け部７ｂとを有している。受け部７ｂの開口側（外側）の端部は上向きに屈曲している。このため、この受け部７ｂによって一旦保持した巻き付け用ワイヤ５が、その開口から不用意に脱落するのを防止することができる。
【００２７】
基部７ａの裏面（ケーシング２に臨む面）には磁石８が設けられており、この磁石８の磁力によって、保持部材７を磁性材料である鋼鉄製のケーシング２に対し着脱自在としている。この保持部材７は、巻き付け用ワイヤ５を保持した際に変形しない程度の剛性を有する金属材料で構成されているが、所定の剛性を有する限りにおいて他の素材を採用することもできる。ケーシング２に取り付けられる保持部材７の個数は特に限定されないが、巻き付け用ワイヤ５を安定的に保持できるよう、ケーシング２の周方向に沿って、所定の角度間隔で４〜８個程度設けるのが好ましい。
【００２８】
保持部材７によって巻き付け用ワイヤ５を保持したら、図２（ｂ）に示すように、ケーシング２の下端に形成された貫通孔９に結束部材１０が環状となるように通し、この結束部材１０によって巻き付け用ワイヤ５が吊り下げられた状態に仮止めする。この結束部材１０として、電気コード等を結束するための市販の結束バンドを採用することができる。結束部材１０の素材は特に限定されないが、ワイヤ巻き付け工程で容易にこの結束部材１０が切断されるよう、例えばポリプロピレンやナイロン等の樹脂製のものを採用するのが好ましい。
【００２９】
結束部材１０で巻き付け用ワイヤ５を仮止めしたら、図２（ｃ）に示すように、ケーシング２から保持部材７を取り外す。このとき、結束部材１０を少し引き締めて、図３（ａ）に示すように、巻き付け用ワイヤ５が、ケーシング２の下端に周方向に所定間隔で環状に配置された掘削刃１の下端に沿わせたり、図３（ｂ）に示すように、掘削刃１のサイドに沿わせたりするのが好ましい。このようにすると、ケーシング２の下端の掘削刃１によって縁切り部３内の土砂（泥水）がスムーズにかき分けられ、挿入に伴う圧力が巻き付け用ワイヤ５に直接作用しにくい。このため、その挿入の際に、環状に束ねた巻き付け用ワイヤ５が径方向外側に拡径してばらけた状態となるのを防止して、既設杭Ｐの所定位置にこの巻き付け用ワイヤ５を確実に巻き付けることができる。
【００３０】
既設杭Ｐへの巻き付け用ワイヤ５の巻き数は少なくとも１巻きあればよいが、図２等に示すように複数回巻くことにより、既設杭Ｐへの巻き付け用ワイヤ５の巻き付け状態を安定させることができる。また、特に巻き数を複数回とする場合、巻回した巻き付け用ワイヤ５がばらけた状態となりやすく、結束部材１０による仮止めの際に複数の作業者が必要となることが多い。これに対し、この仮止めの前に巻き付け用ワイヤ５を複数回巻いた状態で保持部材７によって保持しておくと、結束部材１０による仮止めの際に手で巻き付け用ワイヤ５を保持しておく必要がないため、その仮止め作業を作業者一人で行うことができ、高い作業効率を確保することができる。
【００３１】
ワイヤ巻き付け工程は、図１（ｅ）に示すように、ケーシング２を軸周りに回転させて（図１（ｅ）中のｒ２）仮止めされた巻き付け用ワイヤ５をケーシング２の下端から脱落させ、巻き付け用ワイヤ５が既設杭Ｐに巻き付けられた状態とする工程である。このケーシング２が軸周りに回転すると、巻き付け用ワイヤ５とこの巻き付け用ワイヤ５を仮止めする結束部材１０が互いに擦れ合い、巻き付け用ワイヤ５よりも相対的に強度が小さい結束部材１０が切断される。
【００３２】
このとき、巻き付け用ワイヤ５に連結された引き抜き用ワイヤ６に対し地上側で張力を与え、ケーシング２に対し巻き付け用ワイヤ５が軸周りに極力供回りしないようにするのが好ましい。このようにすると、ケーシング２に固定された結束部材１０と、引き抜き用ワイヤ６からの張力によって回り止めされた巻き付け用ワイヤ５との間の摩擦が増大し、この結束部材１０をスムーズに切断させることができる。また、結束部材１０の一部分に予め傷を形成しておくことによって、この結束部材１０を一層スムーズに切断できる可能性がある。
【００３３】
結束部材１０が切断されて巻き付け用ワイヤ５がケーシング２の下端から既設杭Ｐ側に脱落したら、引き抜き用ワイヤ６に上向きの張力を与えて、この引き抜き用ワイヤ６に連結された巻き付け用ワイヤ５を引き締める。これによって、巻き付け用ワイヤ５が既設杭Ｐの下端部に強く巻き付けられた状態となる。巻き付け用ワイヤ５の巻き付けが完了したら、図１（ｆ）に示すように、ケーシング２を地上に引き抜く。
【００３４】
なお、中折れ等が生じている不健全な既設杭Ｐを撤去する場合は、ケーシング２を地盤Ｇ内に残置しておく方が良い場合もある。このようにすると、引き抜き工程において既設杭Ｐの破片がばらばらになるのを防止して既設杭Ｐの全体を確実に除去することができる。
【００３５】
引き抜き工程は、図１（ｇ）に示すように、引き抜き用ワイヤ６とともに巻き付け用ワイヤ５を上向きに引き上げて、既設杭Ｐを地盤Ｇから引き抜く工程である。なお、ワイヤ巻き付け工程後にケーシング２を地盤Ｇ内に残置した場合は、この引き抜き工程において既設杭Ｐとともにケーシング２を引き抜く。上記の一連の工程が完了したら、既設杭Ｐを引き抜いた穴Ｓの中に充填材を充填しつつその穴Ｓ内の土砂と混合して埋め戻し作業を行う。
【００３６】
既設杭Ｐの中には、図４に示すように、地盤Ｇへの支持強度を一層高めるために、既設杭Ｐの下端に大径の根固め部Ｂを形成したものがある。この根固め部Ｂが形成された既設杭Ｐの撤去に際しては、根固め部Ｂの外周に沿うように縁切り部３を形成し、根固め部Ｂに巻き付け用ワイヤ５を巻き付けることにより、図１から図３で説明したのと同じ工程によって、この根固め部Ｂとともに既設杭Ｐの引き抜きを行うことができる。
【００３７】
上記において説明した杭抜き方法はあくまでも例示であって、地盤Ｇ中の既設杭Ｐを簡便かつ確実に除去する、というこの発明の課題を解決し得る限りにおいて、杭抜き方法の工程の一部を適宜変更することができる。例えば、上記においては既設杭Ｐの下端部に巻き付け用ワイヤ５を巻き付けた場合について図示したが、中折れ等がない健全な既設杭Ｐの場合は、この既設杭Ｐの長さ方向の中間部あるいは上端部に巻き付け用ワイヤ５を巻き付けて引き抜きを行うこともできる。
【符号の説明】
【００３８】
１  掘削刃
２  ケーシング
３  縁切り部
４  外側突起
５  巻き付け用ワイヤ
６  引き抜き用ワイヤ
７  保持部材
７ａ  基部
７ｂ  受け部
８  磁石
９  貫通孔
１０  結束部材
Ｇ  地盤
Ｐ  既設杭
Ｓ  穴
Ｂ  根固め部
【要約】
【課題】地盤中の既設杭を確実に除去することが可能な杭抜き方法を提供する。
【解決手段】下端に掘削刃１が環状に配置された円筒状のケーシング２をその軸周りに回転させて、掘削刃１によって地盤Ｇに埋設された既設杭Ｐの周囲を掘削し、地盤Ｇと既設杭Ｐとの間の縁が切れた縁切り部３を形成した上でケーシング２を地盤Ｇから一旦引き抜く縁切り工程と、ケーシング２の下端に既設杭Ｐに巻き付ける巻き付け用ワイヤ５を仮止めした上で、ケーシング２を縁切り部３内に再挿入するワイヤ挿入工程と、ケーシング２を軸周りに回転させて仮止めされた巻き付け用ワイヤ５をケーシング２から脱落させ、巻き付け用ワイヤ５が既設杭Ｐに巻き付けられた状態とするワイヤ巻き付け工程と、巻き付け用ワイヤ５を上向きに引き上げて、既設杭Ｐを地盤Ｇから引き抜く引き抜き工程と、を有する構成とする。
【選択図】図１【図１】
0006808084.tif 000002
【図２】
0006808084.tif 000003
【図３】
0006808084.tif 000004
【図４】
0006808084.tif 000005